(57)【要約】【課題】吊り下ろしや解体のための敷地が小さい場合でも、タワークレーンを少ない手間と費用により解体できるタワークレーンの解体方法を提供すること。【解決手段】タワークレーン１の本体ジブ８で解体用ジブ９の主部材９１を吊り上げ、旋回台６に揺動可能に連結する。本体ジブ８を水平に起伏させ、本体ジブ８を作業床として、解体用ジブ９の主部材９１，９１の間にラチス部材９７等を取り付けて解体用ジブ９を組み立てる。解体用ジブ９で本体ジブ８を吊り下ろした後、クレーン本体３１をレール１４に沿って建築物１０の屋上に移動させる。重量が比較的大きい旋回軸受６１を含む旋回台６の前部６５を後部６６から切り離し、解体用ジブ９で吊り下げる。重量が比較的小さい部品で構成されるクレーン本体３２により、マスト２の解体を行う。クレーン本体３２を小型の解体クレーンで解体し、使用後の解体クレーンは分解して建築物１０のエレベータで下ろす。【選択図】図９
2010064867.tif 000002
【特許請求の範囲】
【請求項１】
本体ジブにより解体用ジブの構成部材を吊り上げる解体用ジブ吊上工程と、
吊り上げた解体用ジブの主部材の一端を、旋回台に揺動可能に取り付ける解体用ジブ取付工程と、
解体用ジブを組み立てる解体用ジブ組立工程と、
本体ジブに掛けられた巻上ワイヤ及び起伏ワイヤを解体用ジブに掛け替えるワイヤ掛替工程と、
解体用ジブにより本体ジブを吊り下ろす本体ジブ吊下工程と、
旋回台をマストから切り離す切り離し工程と、
マストから切り離された旋回台をクレーン本体と共に建築物の屋上に配置したレールに沿って水平移動させる移動工程と、
建築物の屋上に移動したクレーン本体により、マストを分解して吊り下ろすマスト分解工程と
を備えることを特徴とするタワークレーンの解体方法。
【請求項２】
請求項１に記載のタワークレーンの解体方法において、
クレーン本体の旋回台に設置されたトラスの斜材の下端を、旋回台の旋回軸受が設けられた側から巻上ウインチが設けられた側に付け替える斜材付替工程と、
クレーン本体の旋回台を、旋回軸受が設けられた前部と、ジブの支点及び巻上ウインチが設けられた後部とに分離させる分離工程と、
分離工程で分離された旋回台の前部と旋回軸受を、クレーン本体により吊り下ろす前部吊下工程と、
を備えることを特徴とするタワークレーンの解体方法。
【請求項３】
請求項１に記載のタワークレーンの解体方法において、
解体用ジブ組立工程を、水平に起伏させた本体ジブを作業床として行うことを特徴とするタワークレーンの解体方法。
【請求項４】
請求項３に記載のタワークレーンの解体方法において、
解体用ジブ取付工程で、解体用ジブの２つの主部材を本体ジブの両側に配置し、主部材の一端を旋回台の両側に夫々取り付け、
解体用ジブ組立工程で、２つの主部材を接続部材で接続することを特徴とするタワークレーンの解体方法。
【請求項５】
請求項１に記載のタワークレーンの解体方法において、
解体用ジブ取付工程で、解体用ジブと旋回台との間にトラスを介して仮ガイロープを掛け渡し、
仮ガイロープを伸張して解体用ジブを水平に起伏した状態で解体用ジブ組立工程を行い、
ワイヤ掛替工程で、仮ガイロープを取り外すことを特徴とするタワークレーンの解体方法。
【請求項６】
請求項５に記載のタワークレーンの解体方法において、
仮ガイロープは、旋回台側に設けられた起伏用のターンバックルにより、解体用ジブを起伏するように形成されていることを特徴とするタワークレーンの解体方法。
【発明の詳細な説明】
【技術分野】
【０００１】
本発明は、例えば高層建築物の建設工事に用いられるタワークレーンの解体方法に関する。
【背景技術】
【０００２】
従来より、高層建築物の建設工事では、マストクライミング式のタワークレーンが多く用いられている（例えば、特許文献１参照）。マストクライミング式のタワークレーンは、地表面の基礎の上に立設されるマスト部材に沿って上昇可能なクレーン本体を備え、クレーン本体は、マスト部材の外側を取り囲むように上下に配置されたアウトマスト及びクライミングフレームと、アウトマストとクライミングフレームとの間に設置された油圧シリンダと、アウトマストの上端に連結されてマスト部材の軸線の周りに旋回する旋回台と、旋回台に設けられた本体ジブ、巻上装置及び運転台を備える。
【０００３】
アウトマストとクライミングフレームのマスト部材を取り囲む開口には、マスト部材に向かって出没する油圧駆動のロックピンが設けられており、クライミングフレームのロックピンとクライミングフレームのロックピンとを交互にマスト部材に係合させて荷重を盛り換え、かつ、油圧シリンダの伸長と収縮を交互に繰り返すことにより、クレーン本体をマスト部材に沿って上昇させるようになっている。
【０００４】
クレーン本体がマスト部材の上端付近に上昇すると、本体ジブにより地上から新たなマスト部材を吊り上げ、新たなマスト部材の下端を既設のマスト部材の上端に接続した後、新たなマスト部材に沿ってクレーン本体が更に上昇するようになっている。
【０００５】
建築物の躯体の構築が終了すると、タワークレーンの解体が行われる。タワークレーンの解体では、比較的大型の解体用クレーンをタワークレーンに隣接して設置し、クレーン本体の本体ジブや旋回台等の構成部品を順次分解し、分解した構成部品を解体用クレーンにより地表面に吊り下げる。クレーン本体の解体の後、マスト部材を上端から順次分離させ、分離したマスト部材を解体用クレーンにより順次地表面に吊り下げて、マストを解体してタワークレーンの解体が完了する。タワークレーンを解体して撤去した後、解体用クレーンを解体して撤去し、この後、タワークレーンを設置していた地表面に所定の外構工事が行われる。
【特許文献１】特開平１０−１３９３７４
【発明の開示】
【発明が解決しようとする課題】
【０００６】
しかしながら、上記従来のタワークレーンの解体方法は、外構工事の進捗や立地条件等により、解体用クレーンを搬入及び設置するために十分な敷地や搬入路を確保し難い場合があり、この場合、タワークレーンの解体を行い難いという不都合がある。
【０００７】
また、上記従来のタワークレーンの解体方法は、比較的大型の解体用クレーンを別途設置し、タワークレーンの解体の後に、比較的大型の解体用クレーンを解体及び撤去するため、中型の更なる解体用クレーンを別途設置する必要があるので、工数が多くて手間と費用が大きいという不都合がある。
【０００８】
さらに、タワークレーンの解体においては、長大な本体ジブをクレーン本体から分離して地表面に吊り下ろし、解体を行う必要がある。ここで、本体ジブの解体用の敷地を確保できない場合は、タワークレーンから離れた位置に大型の解体用クレーンを設置し、タワークレーンから離れた敷地に本体ジブを吊り下ろして解体を行う必要がある。また、建築物の屋上に補強を行って解体用クレーンを設置し、建築物の屋上に本体ジブを吊り下げて解体を行う必要がある。このような本体ジブの解体作業に、手間と費用がかかるという不都合がある。
【０００９】
そこで、本発明の課題は、吊り下ろしや解体のための敷地が小さい場合でも、タワークレーンを少ない手間と費用により解体できるタワークレーンの解体方法を提供することにある。
【課題を解決するための手段】
【００１０】
上記課題を解決するため、請求項１の発明のタワークレーンの解体方法は、本体ジブにより解体用ジブの構成部材を吊り上げる解体用ジブ吊上工程と、吊り上げた解体用ジブの主部材の一端を、旋回台に揺動可能に取り付ける解体用ジブ取付工程と、解体用ジブを組み立てる解体用ジブ組立工程と、本体ジブに掛けられた巻上ワイヤ及び起伏ワイヤを解体用ジブに掛け替えるワイヤ掛替工程と、解体用ジブにより本体ジブを吊り下ろす本体ジブ吊下工程と、旋回台をマストから切り離す切り離し工程と、マストから切り離された旋回台をクレーン本体と共に建築物の屋上に配置したレールに沿って水平移動させる移動工程と、建築物の屋上に移動したクレーン本体により、マストを分解して吊り下ろすマスト分解工程とを備えることを特徴としている。
【００１１】
上記構成によれば、本体ジブにより解体用ジブを吊り上げ、解体用ジブを旋回台に揺動可能に取り付けて解体用ジブを組み立て、本体ジブに掛けられた巻上ワイヤ及び起伏ワイヤを解体用ジブに掛け替えることにより、本体ジブの機能を解体用ジブに持たせることができる。この解体用ジブにより本体ジブを吊り下ろすことにより、解体用クレーンを用いることなく本体ジブを解体することができる。また、旋回台をマストから切り離し、切り離された旋回台を含むクレーン本体を建築物の屋上で水平移動させ、このクレーン本体によってマストを分解して吊り下ろすことにより、解体用クレーンを用いることなくマストを解体することができる。したがって、外構工事の進捗や立地条件等により、解体用クレーンを搬入及び設置するために十分な敷地や搬入路を確保し難い場合においても、少ない工数により迅速かつ安価にタワークレーンの解体及び撤去を行うことができる。
【００１２】
また、本体ジブが長大である場合においても、解体用クレーンを設置することなく本体ジブを吊り下ろすことができるので、従来のタワークレーンの解体方法では解体が困難であった敷地においても、本体ジブを解体することができる。したがって、従来よりも少ない工数と費用により、タワークレーンを解体することができる。
【００１３】
請求項２の発明のタワークレーンの解体方法は、請求項１に記載のタワークレーンの解体方法において、クレーン本体の旋回台に設置されたトラスの斜材の下端を、旋回台の旋回軸受が設けられた側から巻上ウインチが設けられた側に付け替える斜材付替工程と、クレーン本体の旋回台を、旋回軸受が設けられた前部と、ジブの支点及び巻上ウインチが設けられた後部とに分離させる分離工程と、分離工程で分離された旋回台の前部と旋回軸受を、クレーン本体により吊り下ろす前部吊下工程とを備える。
【００１４】
請求項２のタワークレーンの解体方法によれば、旋回台に設置されたトラスの斜材の下端を、旋回台の旋回軸受が設けられた側から巻上ウインチが設けられた側に付替え、旋回台を前部と後部に分離させ、旋回台の前部と旋回軸受をクレーン本体により吊り下ろすことにより、クレーン本体のうち、重量の比較的小さい部材を残すことができる。したがって、クレーン本体を、比較的小型の解体クレーンによって解体して吊り下ろすことができる。解体クレーンは比較的小型であるので、クレーン本体を吊り下ろした後、分解して建築物のエレベータで下ろすことができる。したがって、タワークレーンを中型又は大型の解体クレーンで解体する場合と比較して、少ない工数と費用によってタワークレーンを解体することができる。
【００１５】
請求項３の発明のタワークレーンの解体方法は、請求項１に記載のタワークレーンの解体方法において、解体用ジブ組立工程を、水平に起伏させた本体ジブを作業床として行う。
【００１６】
請求項３のタワークレーンの解体方法によれば、本体ジブを作業床として解体用ジブを組み立てることにより、作業床を別途設けることなく、迅速かつ安価に解体用ジブを組み立てることができる。
【００１７】
請求項４の発明のタワークレーンの解体方法は、請求項３に記載のタワークレーンの解体方法において、解体用ジブ取付工程で、解体用ジブの２つの主部材を本体ジブの両側に配置し、主部材の一端を旋回台の両側に夫々取り付け、解体用ジブ組立工程で、２つの主部材を接続部材で接続する。
【００１８】
請求項４のタワークレーンの解体方法によれば、解体用ジブの２つの主部材を本体ジブの両側に配置し、主部材の一端を旋回台の両側に夫々取り付け、解体用ジブの２つの主部材を接続部材で接続することにより、本体ジブを作業床としながら、容易に解体用ジブを組み立てることができる。
【００１９】
請求項５の発明のタワークレーンの解体方法は、請求項１に記載のタワークレーンの解体方法において、解体用ジブ取付工程で、解体用ジブと旋回台との間にトラスを介して仮ガイロープを掛け渡し、仮ガイロープを伸張して解体用ジブを水平に起伏した状態で解体用ジブ組立工程を行い、ワイヤ掛替工程で、仮ガイロープを取り外す。
【００２０】
請求項５のタワークレーンの解体方法によれば、仮ガイロープを用いることにより、解体用ジブを旋回台に容易に取り付けることができる。
【００２１】
請求項６の発明のタワークレーンの解体方法は、請求項５に記載のタワークレーンの解体方法において、仮ガイロープは、旋回台側に設けられた起伏用のターンバックルにより、解体用ジブを起伏するように形成されている。
【００２２】
請求項６のタワークレーンの解体方法によれば、起伏用のターンバックルにより仮ガイロープを介して解体用ジブを起伏できるので、解体用ジブの起伏角度を調節して本体ジブを作業床として解体用ジブを組み立てることができる。また、解体用ジブを保持して本体ジブからの巻上ワイヤ及び起伏ワイヤの掛け替えを容易に行うことができる。
【発明の効果】
【００２３】
本発明のタワークレーンの解体方法によれば、大型又は中型の解体用クレーンを用いることなくタワークレーンを解体することができるので、解体用クレーンの設置用の敷地や本体ジブの解体用の敷地に制限がある場合においても、従来よりも少ない手間により、迅速かつ安価にタワークレーンを解体することができる。
【発明を実施するための最良の形態】
【００２４】
本発明の一実施形態を、図面を参照しつつ説明する。図１はタワークレーンを示す図であり、図２乃至１１は、本発明のタワークレーンの解体方法の工程を示す図である。
【００２５】
タワークレーン１は、図１に示すように、マスト２と、マスト２に沿って昇降するクレーン本体３で大略構成されている。マスト２は、Ｌ鋼を十字状に交差して形成され、地上に設置された基礎２１と、基礎２１の上に立設された複数のマスト部材２２，２２，・・・と、基礎２１の外側の端部と最下段のマスト部材２２の上端との間に掛け渡された斜材２３で構成されている。このタワークレーン１は、中央に吹き抜けを有する建築物１０の建設工事に用いられており、吹き抜け部分にマスト２を立設し、建築物１０のスラブ１１の中央に形成された開口１２からクレーン本体３を突出させて、建築資材の吊り作業を行っている。
【００２６】
クレーン本体３は、マスト部材２２の外側を取り囲んでマスト部材２２に沿って昇降可能に形成されたクライミングフレーム４と、クライミングフレーム４の上方に配置され、マスト部材２２の外側を取り囲んでマスト部材２２に沿って昇降可能に形成されたアウトマスト５と、クライミングフレーム４とアウトマスト５との間に設けられた油圧シリンダ４１と、アウトマスト５の上端に連結された旋回台６を備える。上記クライミングフレーム４と、アウトマスト５と、油圧シリンダ４１でクライミング装置を構成している。
【００２７】
クライミングフレーム４とアウトマスト５の内側には、マスト部材２２に向かって出没駆動されるロックピンが設けられている。アウトマスト５の外周には、アウトマスト５を取り囲むように配置されて油圧シリンダ４１の油圧ユニットが設置された踊り場５１が設けられている。アウトマスト５と旋回台６は、旋回台６の下側に設けられた旋回軸受６１を介して連結されている。
【００２８】
旋回台６の上には、上端に起伏ワイヤ及び巻き上げワイヤのシーブが設けられたトラス７が設置されている。トラス７は、旋回台６の後部に鉛直に立設された鉛直部材７１と、鉛直部材の上端から旋回台６の前端に延びる斜部材７２とで構成されており、側面視において、旋回台６と共に直角三角形の形状をなしている。トラス７は典型的には直角三角形であるが、直角三角形に限られない。すなわち、トラス７の鉛直部材は多少前方又は後方に傾斜したものであってもよい。旋回台６のトラス７の鉛直部材７１の立設位置の手前側に、本体ジブ８の一端が揺動自在に軸支されている。この本体ジブ８は、３０ｍを越える長さを有する。旋回台６の後部には、巻き上げワイヤを巻き出す巻上ウインチ６２と、起伏ワイヤを巻き出す起伏ウインチ６３と、各ウインチ６２，６３の動作を制御する制御盤６４が設けられている。旋回台６は、前部６５と後部６６が分離可能に連結されて形成されており、前部６５の下側に旋回軸受６１が取り付けられ、また、前部６５の前端の両側に、トラス７の斜部材７２の下端が連結されている。一方、旋回台６の後部６６には、本体ジブ８の支点と、巻上ウインチ６２と、起伏ウインチ６３と、制御盤６４が設けられている。
【００２９】
このタワークレーン１は、マスト２の基礎２１が地表面に設置された状態で、マスト２を上方に延ばしながらクレーン本体３を上昇させてクライミングを行うマストクライミング式のタワークレーン１であり、次のようにしてクライミングを行う。
【００３０】
すなわち、クラミングフレーム４のロックピンをマスト部材２２に向かって突出させ、マスト部材２２の水平材にロックピンを係合させると共に、アウトマスト５のロックピンをマスト部材２２から退去させてマスト部材２２との係合を解除する。これにより、クレーン本体３の重量はクライミングフレーム４を介してマスト部材２２に支持される。この状態で、油圧シリンダ４１を伸長駆動させ、アウトマスト５、旋回台６、トラス７及び本体ジブ８等を上昇させる。油圧シリンダ４１が最大の伸張長さに達すると、アウトマスト５のロックピンをマスト部材２２に係合させると共に、クライミングフレーム４のロックピンのマスト部材２２との係合を解除し、クレーン本体３の重量の支持をアウトマスト５に盛り換える。この後、油圧シリンダ４１を収縮駆動させ、クライミングフレーム４を上方に引き上げる。油圧シリンダ４１が最小の収縮長さに達すると、アウトマスト５のロックピンのマスト部材２２との係合を解除すると共に、クライミングフレーム４のロックピンをマスト部材２２に係合させ、クレーン本体３の重量の支持をクライミングフレーム４に盛り換える。
【００３１】
このように、クレーン本体３の重量の支持を、クライミングフレーム４とアウトマスト５との間で交互に盛り換えると共に、油圧シリンダ４１の伸縮を交互に行うことにより、クレーン本体３がマスト２に沿って上昇する。クレーン本体３が、マスト２の上端に到達すると、本体ジブ８により、マスト部材２２を吊り上げてマスト２の上端に配置して固定し、マスト２を上方に延長させる。この後、上述のクラミングを行い、マスト２に沿ってクレーン本体３を更に上昇させる。
【００３２】
図１に示すように、建築物１０の構築が完了すると、次のようにしてタワークレーン１の解体を行う。
【００３３】
まず、図２に示すように、本体ジブ８により、解体用ジブ９の主部材９１，９１を吊り上げ、主部材９１の一端を、旋回台６の後部６６の前端に揺動可能に連結する。主部材９１は、旋回台６の本体ジブ８の揺動支点の両側に設けられた軸穴に、揺動軸を挿通させて旋回台６に連結する。これにより、主部材９１は、本体ジブ８の両側に配置される。主部材９１を旋回台６に連結すると、主部材９１の長手方向中央よりも先端側に一端が固定された仮ガイロープ９２を、トラス７の上端のシーブ９３を介して掛け渡し、仮ガイロープ９２の他端を旋回台６の後部に固定する。仮ガイロープ９２の他端側には、仮ガイロープを伸張させるターンバックル９４が設けられている。図３は、主部材９１を旋回台６に連結し、主部材９１を仮ガイロープ９２で起伏させた様子を示す側面図であり、図４は平面図である。
【００３４】
引き続いて、本体ジブ８により、解体用ジブ９の構成部品を旋回台６に吊り上げる。この後、本体ジブ８を略水平に起伏させ、本体ジブ８を作業床として、解体用ジブ９を組み立てる。解体用ジブ９の組み立ては、２つの主部材９１を接続部材で接続して行う。接続部材は、主部材９１の先端を互いに連結する先端連結部材９６や、主部材９１の長さ方向に渡って互いに連結するラチス部材９７を用いる。先端連結部材９６やラチス部材９７を、ボルト又はピンで主部材９１に取り付けることにより、解体用ジブ９の組み立てを容易に行うことができる。図５は、理解容易のため、本体ジブ８の一部の図示を省略して、主部材９１に先端連結部材９６やラチス部材９７を取り付けた様子を示す平面図である。本体ジブ８を作業床に用いるため、作業員の落下防止のための手摺８１を本体ジブ８の上部に設置する。２つの主部材９１を接続部材で接続することにより、長さが約２０ｍ以下の小型の解体用ジブ９が完成する。
【００３５】
この後、本体ジブ８に掛けられていた巻上げワイヤを取り外し、解体用ジブ９に巻き上げワイヤを掛ける。解体用ジブ９に掛けた巻き上げワイヤは、巻上ウインチ６２にローピングする。引き続いて、解体用ジブ９に掛けた巻上げワイヤの先端のフックに玉掛けワイヤを吊り下げ、玉掛けワイヤで本体ジブ８を吊る。この後、本体ジブ８に掛けられていた起伏ワイヤを取り外し、解体用ジブ９に起伏ワイヤを掛け、解体用ジブ９に掛けた起伏ワイヤを起伏ブロック９５に接続する。引き続いて、解体用ジブ９の仮ガイロープを取り外す。図６は、起伏ワイヤが掛けられた解体用ジブ９により本体ジブ８を吊った様子を示す図である。
【００３６】
この後、巻上ウインチ６２を巻き出し駆動し、必要に応じて起伏ウインチ６３を駆動させ、図７の側面図に示すように解体用ジブ９で本体ジブ８を建築物１０の屋上に吊り下ろす。建築物１０の屋上に吊り下ろした本体ジブ８は、小型の解体用クレーン等で分解して地表面に吊り下ろし、建設現場から搬出する。この際、小型の移動式クレーン等に代えて、屋上の解体用ジブ９を利用することも可能である。このように、本体ジブ８を、解体用クレーンを用いることなく吊り下ろすことができるので、解体用クレーンをタワークレーンに隣接して設置する必要が無いから、少ない敷地により長大な本体ジブ８の解体及び搬出を行うことができる。なお、本体ジブ８は、建築物１０の屋上以外に、地表面に吊り降ろして分解を行っても良い。この場合においても、大型の解体用クレーンを用いることなく本体ジブ８を吊り下ろすことができるので、敷地に制限がある場合であっても、小型の移動式クレーン等により本体ジブ８を分解して搬出することができる。
【００３７】
本体ジブ８に替えて解体用ジブ９を取り付けたクレーン本体３１により、本体ジブ８の解体を完了すると、クレーン本体３１をマストと切り離して建築物１０の屋上に移動させる。まず、図８の側面図及び図９の平面図に示すように、建築物１０の屋上のスラブ１１の開口１２を掛け渡すようにレール１４，１４を敷設する。このレール１４，１４には複数のころを等間隔で回転自在に装着しておく。そしてクレーン本体３１の荷重をレール１４，１４のころで支持する。これと共に、クレーン本体３１をマスト２から切り離す。続いて、クレーン本体３１を、レール１４，１４に沿って水平移動させ、建築物１０の屋上のスラブ１１上に配置する。クレーン本体３１は、人力により移動させることができるが、ウインチ６２，６３を利用してクレーン本体３１を水平移動させてもよい。
【００３８】
図１０に示すように、クレーン本体３１を建築物１０の屋上のスラブ１１上に水平移動させた後、クレーン本体３１の構成部品のうち、重量が比較的大きい旋回軸受６１を撤去する。まず、旋回台６の後部６６の後端に、後方に延びる延長部材６７を取り付ける。この延長部材６７と旋回台６の後部６６の下方に支持部材１５，１５を配置した後、トラス７の斜部材７２の下端を、旋回台６の前部６５の前端から延長部材６７の後端に付け替える。この後、旋回台６の前部６５と後部６６を切り離し、解体用ジブ９により、旋回台６の前部６５と旋回軸受６１を吊り下ろす。こうして、図１１に示すように、重量が比較的小さい部品により構成されるクレーン本体３２が建築物１０の屋上に残留する。軽量となったクレーン本体３２により、建築物１０の吹き抜け内部に残留したマスト２を解体する。マスト２の解体は、マスト２を構成するマスト部材２２を上端から順次取り外し、解体用ジブ９で一旦屋上まで吊り上げ、この吊り上げ状態のまま建築物１０の外側に移動させ、その後に地表面に吊り下げることにより行う。建築物１０の外側へのマスト部材２２の移動は、レール（レール１４とは別のレール）に沿ったクレーン本体３２の水平移動と解体用ジブ９の起伏動作を組み合わせて行うことができる。この際、直線状のレール、或いは直線状のレールに組み合わせるようにして、水平面内で円弧状に屈曲したいわゆる曲がりレールを直線状のレールに組み合わせるようにして採用すれば、クレーン本体３２の水平移動範囲の自由度を高めることができる。なお、図１０の旋回台６の前部６５と旋回軸受６１を分離する前のクレーン本体３１によりマスト２の解体を行い、マスト２の解体の後に、旋回台６の前部６５と旋回軸受６１を分離して吊り下ろしてもよい。
【００３９】
マスト２の解体が完了すると、クレーン本体３２を解体する。クレーン本体３２の解体は、クレーン本体３２よりも小型の解体クレーンを建築物１０の屋上に設置して行う。クレーン本体３２は、重量が比較的小さい部品で構成されているので、従来よりも小型の解体クレーンによって解体を行うことができる。解体クレーンにより、旋回台６の後部６６などのクレーン本体３２の構成部品を順番に地上に吊り下げ、クレーン本体３２の解体が完了すると、次に解体クレーンを分解する。解体クレーンは、従来のタワークレーンの解体に用いられるものよりも小型であるので、分解後の解体クレーンの構成部品は、建築物１０のエレベータで下ろすことができる。
【００４０】
以上のように、本実施形態のタワークレーンの解体方法は、長大の本体ジブ８を小型の解体用ジブ９に交換し、解体用ジブ９によって本体ジブ８を吊り下ろすので、解体用クレーンの設置用の敷地や本体ジブ８の解体用の敷地に制限がある場合においても、従来よりも少ない手間により、迅速かつ安価にタワークレーンを解体することができる。また、本体ジブ８の解体を、解体用ジブ９を用いて行うことができるので、本体ジブ８を吊り下ろした建築物１０の屋上に、解体用クレーンを設置する必要が無い。したがって、本体ジブ８を少ない手間とコストで解体することができる。
【００４１】
また、本実施形態のタワークレーンの解体方法は、クレーン本体３１を建築物１０の屋上に移動させ、重量が比較的大きい旋回軸受６１を分離してクレーン本体３２で吊り下ろし、重量が比較的小さい部材で構成されたクレーン本体３２によりマスト２の解体等を行うので、使用後のクレーン本体３２を小型の解体クレーンにより容易に解体して撤去することができる。したがって、タワークレーンを、従来よりも少ない工数と費用で解体することができる。
【００４２】
また、タワークレーン１の解体のために大型又は中型の解体用クレーンを設置する必要がないので、外構工事の進捗や立地条件等により、大型又は中型の解体用クレーンを搬入及び設置することが困難な場合においても、少ない工数により迅速かつ安価にタワークレーン１の解体及び撤去を行うことができる。
【００４３】
上記実施形態では、建築物１０の吹き抜け部の地表面に基礎２１を設置し、この基礎２１の上にマスト部材２２を継ぎ足すと共にクレーン本体３が上昇するマストクライミング式のタワークレーンについて説明したが、建築物の床スラブにマストの基礎を設置し、建築物の床スラブを構築するに伴ってマストの基礎を上階の床スラブに盛り換えてクレーン本体を上昇させるフロアクライミング式のタワークレーンに適用することもできる。この場合、解体用ジブ９の先端が建築の外側まで延びるようにしておく。
【図面の簡単な説明】
【００４４】
【図１】タワークレーンを示す図である。
【図２】解体用ジブの主部材を旋回台に取り付けた様子を示す図である。
【図３】主部材を旋回台に連結して仮ガイロープで起伏させた様子を示す側面図である。
【図４】主部材を旋回台に連結して仮ガイロープで起伏させた様子を示す平面図である。
【図５】解体用ジブの組み立てが完了した様子を示す平面図である。
【図６】解体用ジブで本体ジブを吊った様子を示す図である。
【図７】解体用ジブで本体ジブを建築物の屋上に吊り下ろす様子を示す平面図である。
【図８】クレーン本体を建築物の屋上に移動させる工程を示す側面図である。
【図９】クレーン本体を建築物の屋上に移動させる工程を示す平面図である。
【図１０】建築物の屋上に移動したクレーン本体を示す側面図である。
【図１１】旋回台の前部と旋回軸受を撤去したクレーン本体を示す側面図である。
【符号の説明】
【００４５】
１  タワークレーン
２  マスト
３  クレーン本体
４  クライミングフレーム
５  アウトマスト
６  旋回台
７  トラス
８  本体ジブ
９  解体用ジブ
３１  解体用ジブが取り付けられたクレーン本体
３２  旋回台の前部と旋回軸受が撤去されたクレーン本体
１４  レール
【図１】
2010064867.tif 000003
【図２】
2010064867.tif 000004
【図３】
2010064867.tif 000005
【図４】
2010064867.tif 000006
【図５】
2010064867.tif 000007
【図６】
2010064867.tif 000008
【図７】
2010064867.tif 000009
【図８】
2010064867.tif 000010
【図９】
2010064867.tif 000011
【図１０】
2010064867.tif 000012
【図１１】
2010064867.tif 000013